(57)【要約】【課題】所有者が現に携帯電話を所持しているか否かを正確に判断し、この判断結果に応じた自動応答メッセージを再生できる携帯電話機を提供する。【解決手段】電話機部１５に電話着信がされている場合、温度センサ１２を制御して現在の温度Ｔｃを取得させる。現在の温度ＴｃがフラッシュＲＯＭ１８の閾値Ｔ０を基準とする所定の誤差の範囲内であるか否かを判断し、その判断結果に基づいて所有者が携帯電話機１を所持しているか否かを判断する。電話を所持していると判断した場合、「所有者は現に携帯電話機を所持しているが電話に出られません」といった内容の第１応答メッセージを再生する。電話を所持していないと判断した場合、「所有者は現に携帯電話機を所持しておらず電話に出られません」といった内容の第２応答メッセージを再生する。【選択図】  図５
2005323082.tif 000002
【特許請求の範囲】
【請求項１】
温度を検知する温度センサと、
携帯電話機の所持時に検知される温度の閾値を設定する閾値設定手段と、
相手方の電話機からの着信に応じて前記温度センサが検知した温度である着信時温度が前記閾値を基準とする所定の誤差の範囲内にあるか否かにより携帯電話機が所持されているか否かを判断する所持判断手段と、
前記判断結果に応じた音声メッセージを相手方の電話機に送信するメッセージ再生手段と、
を備える携帯電話機。
【請求項２】
現在の時刻を出力するタイマと、
各時刻に検知された温度の変化に基づいて携帯電話機を所持している時間帯である所持時間帯を決定する所持時間帯決定手段と、
をさらに備え、
前記閾値設定手段は前記所持時間帯に含まれる時刻に検知された温度に基づいて前記閾値を設定する請求項１に記載の携帯電話機。
【請求項３】
前記所定の誤差の範囲を設定する誤差範囲設定手段をさらに備える請求項１又は２に記載の携帯電話機。
【発明の詳細な説明】
【技術分野】
【０００１】
本発明は携帯電話機に係り、特に相手方電話機に自動応答音声を送信する携帯電話機に関する。
【背景技術】
【０００２】
携帯電話の所有者が現に携帯電話を所持しているかを検知し、これを自動着信応答に利用する携帯電話機が様々考案されている。例えば、特許文献１によると、携帯電話機が使用者の衣服内（例えば、ポケット内）にある場合、感知部は人体からの赤外線及び体温を感知して感知信号を制御部に送出する。この状態で、スピーカから着信音が拡声され、それを聞いた使用者が手で携帯電話機を衣服内から取り出すと、感知部は赤外線及び体温の変化した状態変化感知信号を制御部へ送出する。制御部はこの状態変化感知信号を受信すると、状態の変化と判断して自動的に着信応答し、着信音を停止させる。
【特許文献１】特開平９−１３９７６４号公報
【発明の開示】
【発明が解決しようとする課題】
【０００３】
特許文献１の技術によると、机の上や鞄の中等に入って、使用者の人体から離れて置かれている状態の場合、感知部は人体からの赤外線及び体温を感知していない信号を制御部に送出し、使用者が着衣している衣服内（例えば、ポケット内）にある場合には、感知部は人体からの赤外線及び体温を感知して感知信号を制御部に送出している。ところが、検知される体温は、検知時の外温、所有者の体調や動静（運動や病気による発熱など）、衣服の厚みや材質などで変化する可能性があり、一概に体温を検知した又はしなかったと判断するのは困難である。本発明はこのような問題点に鑑みてなされたもので、その場の状況に合わせて所有者が現に携帯電話を所持しているか否かを従来よりも正確に判断し、この判断結果に応じた自動応答メッセージを再生できる携帯電話機を提供することを目的とする。
【課題を解決するための手段】
【０００４】
上述の課題を解決するため、請求項１に係る発明は、温度を検知する温度センサと、携帯電話機の所持時に検知される温度の閾値を設定する閾値設定手段と、相手方の電話機からの着信に応じて前記温度センサが検知した温度である着信時温度が前記閾値を基準とする所定の誤差の範囲内にあるか否かにより携帯電話機が所持されているか否かを判断する所持判断手段と、前記判断結果に応じた音声メッセージを相手方の電話機に送信するメッセージ再生手段と、を備える。
【０００５】
この発明によると、設定された閾値を基準とする所定の誤差の範囲内に着信時温度がある場合、携帯電話機が所持されていると判断し、それに応じた内容の応答メッセージを相手方に送信する。閾値を携帯電話機が所持されている場合の検知温度に略一致するような所定の誤差の範囲内の値に設定することで、携帯電話機の所持を正確に判断でき、相手方は応答メッセージの内容から携帯電話機の所持状態を把握できる。
【０００６】
請求項２に係る発明は、請求項１に記載の携帯電話機において、現在の時刻を出力するタイマと、各時刻に検知された温度の変化に基づいて携帯電話機を所持している時間帯である所持時間帯を決定する所持時間帯決定手段と、をさらに備え、前記閾値設定手段は前記所持時間帯に含まれる時刻に検知された温度に基づいて前記閾値を設定する。
【０００７】
この発明によると、携帯電話機を所持している時間帯に検知された温度に基づいて閾値が設定されるため、携帯電話機の所持の判断基準となる閾値が正確に設定される。
【０００８】
請求項３に係る発明は、請求項１又は２に記載の携帯電話機において、前記所定の誤差の範囲を設定する誤差範囲設定手段をさらに備える。
【０００９】
この発明によると、閾値を基準とする所定の誤差の範囲を設定できるため、携帯電話機の所持の判断基準を所有者の状態や周囲の状態などに合わせて柔軟に変更できる。
【発明の効果】
【００１０】
この発明によると、設定された閾値を基準とする所定の誤差の範囲内に着信時温度がある場合、携帯電話機が所持されていると判断し、それに応じた内容の応答メッセージを相手方に送信する。閾値の設定を携帯電話機が所持されている場合の検知温度に略一致するような所定の誤差の範囲内の値とすることで、携帯電話機の所持を正確に判断でき、相手方は応答メッセージの内容から携帯電話機の所持状態を把握できる。
【発明を実施するための最良の形態】
【００１１】
以下、添付した図面を参照し本発明の好ましい実施の形態を説明する。図１は本発明に係る携帯電話機１の概略構成図である。携帯電話機１は、各種処理を実行し、また各回路を制御する中央処理回路（ＣＰＵ）１１、携帯電話機１ごとに一意に割り当てられた電話番号及びＥメールアドレスや、ユーザが任意に設定可能なアドレス帳、ＣＰＵ１１の実行する処理を記述するプログラムなどが記憶されたフラッシュＲＯＭ１８、ＣＰＵ１が各種処理を実行する際に必要な一時データを記憶するＳＤＲＡＭ１９を有している。また、携帯電話機１は、アンテナ２０により他の電話機と無線接続して音声信号やデータ信号を送受信する無線通信回路、音声入力するマイクロフォン、受信した音声信号を音声出力するスピーカなどからなる電話機部１５、液晶ディスプレイなどで構成され文字や画像などを表示する表示部１３、表示部１３の表示内容を制御する表示コントローラ１４、操作入力を受け付ける操作部１７を備えている。また、携帯電話機１は、現在時刻をＣＰＵ１１に出力するタイマ１６と、温度センサ１２を備えており、温度センサ１２はＣＰＵ１１の制御に応じて温度を取得する。
【００１２】
次に、ＣＰＵ１１の実行する処理を説明する。ＣＰＵ１１は、閾値設定処理と応答処理を行う。まず、図２のフローチャートに基づき閾値設定処理の流れを説明する。
【００１３】
Ｓ１では、温度センサ１２に温度検知を指令し、温度センサ１２はこれに応じて現在の温度を取得する。Ｓ２では、タイマ１６から出力された現在時刻と温度センサ１２の取得した温度とを対応づけてＳＤＲＡＭ１９に記憶する。以下、Ｓ２で記憶された情報を温度履歴情報という。Ｓ３では、ＳＤＲＡＭ１９に記憶された温度履歴情報が所定の基準に従って記憶されたか否かを判断する。所定の基準とは、図３に示すように、所定期間内の温度変化を時系列的に観測できるように所定期間内の所定時間の温度を記憶させることである。例えばある１日の０時０分から２４時０分までの所定時間ごと（例えば１時間ごと）に取得された温度が全て記憶されていることである。あるいは、ある日から一週間後までの７日間、各日の６時０分から２３時０分までの所定時間ごと（例えば１時間ごと）に取得された温度が全て記憶されていることである。温度履歴情報が所定の基準に従って記憶されている場合はＳ４に移行し、所定の基準に従って記憶されていない場合は所定の基準に従って記憶されるまでＳ１及び２を繰り返す。図４は、図３のような温度変化が観測される場合、所定の基準に従って記憶された温度履歴情報（１日０時０分から２４時０分までの１時間ごとに取得された温度を記憶）の概要を示す。
【００１４】
Ｓ４では、温度履歴情報から所定の基準に従って携帯電話機１の所有者が携帯電話機１を所持している時間帯である所持時間帯を決定する。所持時間帯の決定基準は適宜設定可能である。例えば、図３のような温度変化が観測される場合、急激に温度の上昇する時刻である６時０分から、急激に温度の下降する時刻である２２時０分までを所持時間帯と決定できる。あるいは、操作部１７の操作により携帯電話機１を所持する予定の時間帯を指定させ、これを所持時間帯と決定してもよい。そして、所持時間帯に含まれる時刻に対応する温度を温度履歴情報から取得し、これらを平均した温度を閾値Ｔ０として算出し、フラッシュＲＯＭ１８に記憶する。
【００１５】
次に、図５のフローチャートに基づき応答処理の流れを説明する。この処理は、閾値Ｔ０と現在の温度Ｔｃとの比較に従って所有者が携帯電話機１を所持しているか否かを判断し、その判断結果に応じた応答メッセージを再生する。
【００１６】
Ｓ１１では、電話機部１５に電話着信がされているか否かを判断する。着信されている場合はＳ１２に移行し、着信されていない場合は上記判断を繰り返す。なお、着信開始から所定時間（例えば１０秒）経過したか否かを判断し、着信開始から所定時間経過した場合はＳ１２に移行し、経過していない場合は上記判断を繰り返してもよい。Ｓ１２では、温度センサ１２を制御して現在の温度Ｔｃを取得させる。Ｓ１３では、現在の温度ＴｃがフラッシュＲＯＭ１８の閾値Ｔ０を基準とする所定の誤差の範囲内であるか否かを判断し、その判断結果に基づいて所有者が携帯電話機１を所持しているか否かを判断する。そして、所有者が携帯電話機１を所持していると判断した場合はＳ１４に移行し、所有者が携帯電話機１を所持していないと判断した場合はＳ１５に移行する。所定の誤差は適宜設定できる。例えば、個人差を考慮するため、閾値Ｔ０と現在の温度Ｔｃの誤差αを操作部１７から入力させるか、あるいは所持時間帯に含まれる時刻に対応する温度の最大値Ｔｍａｘから所持時間帯に含まれる時刻に対応する温度の最小値Ｔｍｉｎを控除した値Ｔｍａｘ−Ｔｍｉｎをと誤差αとしてもよい。この場合、閾値Ｔ０を基準とする所定の誤差の範囲内であるか否かの判断は、｜Ｔｃ−Ｔ０｜≦αであるか否かを判断することで行う。｜Ｔｃ−Ｔ０｜≦αの場合は所有者が携帯電話機１を所持しているとしてＳ１４に移行し、｜Ｔｃ−Ｔ０｜＞αの場合は所有者が携帯電話機１を所持していないとしてＳ１５に移行する。なお、閾値Ｔ０を含む所定の温度範囲内に温度Ｔｃが属しているか否かに応じてＳ１４又はＳ１５に移行してもよい。例えば、温度範囲の上限Ｔ１及び下限Ｔ２（ただし、閾値Ｔ０がこの上限Ｔ１及び下限Ｔ２で規定される温度範囲に含まれるようにする。即ちＴ２≦Ｔ０≦Ｔ１）を操作部１７から入力させておき、Ｔ２≦Ｔｃ≦Ｔ１の場合はＳ１４に移行し、その他の場合はＳ１５に移行するようにしてもよい。Ｓ１４では、「所有者は現に携帯電話機を所持しているが電話に出られません」といった内容の第１応答メッセージを再生し、これを通話音声として電話機部１５から着信した相手方電話機に送信する。Ｓ１５では、「所有者は現に携帯電話機を所持しておらず電話に出られません」といった内容の第２応答メッセージを再生し、これを通話音声として電話機部１５から着信した相手方電話機に送信する。第１応答メッセージ又は第２応答メッセージは所有者が録音したものを再生できるようにしてもよい。
【００１７】
以上の処理により、携帯電話機１は着信を受けると、所有者が携帯電話機１を所持しているか否かを現在の温度Ｔｃが閾値Ｔ０を基準とする所定の誤差の範囲内であるか否かに基づいて判断できる。閾値Ｔ０は、所持時間帯に観測された温度の平均値であるため、温度センサ１２から観測される温度が閾値Ｔ０を基準とする所定の誤差の範囲内である場合、所有者が携帯電話機１を所持している可能性が極めて高い。また、所有者が携帯電話機１を所持しているか否かの判断結果に応じた応答メッセージを相手方の電話機に送信するため、応答メッセージの内容に応じ、相手方は所有者が携帯電話機１を所持していないため応答できないのか、あるいは携帯電話機１を所持しているが何らかの事情（着信に気づかない、あるいは居留守を使うなど）で応答できないのかを知ることができる。
【図面の簡単な説明】
【００１８】
【図１】本発明の好ましい実施形態に係る携帯電話機のブロック構成図
【図２】閾値設定処理の流れを示すフローチャート
【図３】温度の時系列的変化の一例を示す図
【図４】温度履歴情報の一例を示す図
【図５】応答処理の流れを示すフローチャート
【符号の説明】
【００１９】
１１：ＣＰＵ、１２：温度センサ、１６：タイマ
【図１】
2005323082.tif 000003
【図２】
2005323082.tif 000004
【図３】
2005323082.tif 000005
【図４】
2005323082.tif 000006
【図５】
2005323082.tif 000007